(57)【要約】【課題】栞などを用いることなく、前回読み終えた位置（ページ）を容易に特定できる新規な書籍の提供。【解決手段】複数のページ１０からなる書籍１００であって、全てのページまたは所定のページの本文が印刷された領域２０を除く余白領域３０に、当該ページのページ数と関連するページ情報表示部５０を設ける。このような構成によれば、読み終えたページの余白領域３０に表示されたページ情報表示部５０の内容を視覚的に記憶しておくだけで、次に読み始めるときにそのページを容易に特定することができる。【選択図】図１
2015171813.tif 000002
【特許請求の範囲】
【請求項１】
複数のページからなる書籍であって、
全てのページまたは所定のページの本文が印刷された領域を除く余白領域に、当該ページのページ数と関連するページ情報表示部を設けたことを特徴とする書籍。
【請求項２】
請求項１に記載の書籍において、
前記ページ情報表示部を、前記ページ数が印字された箇所の近傍に設けたことを特徴とする書籍。
【請求項３】
請求項１または２に記載の書籍において、
前記ページ情報表示部の表示内容は、図形、色彩、文字、記号、マークのいずれかあるいはこれらを組み合わせたものであることを特徴とする書籍。
【請求項４】
請求項３に記載の書籍において、
前記ページ情報表示部の表示内容は、連続する所定のページ数毎に異なることを特徴とする書籍。
【請求項５】
請求項１乃至４のいずれかに記載の書籍において、
前記ページ情報表示部の近傍に、第２のページ情報表示部を設けたことを特徴とする書籍。
【請求項６】
請求項１乃至５のいずれかに記載の書籍において、
前記ページ情報表示部と共に、そのページまでの読破量を表示する読破量表示部を設けたことを特徴とする書籍。
【請求項７】
請求項６の書籍において、
前記読破量表示部は、そのページまでの読破量に対応する棒グラフまたは円グラフ、線グラフのいずれかあるいはこれらを組み合わせたものであることを特徴とする書籍。
【発明の詳細な説明】
【技術分野】
【０００１】
本発明は、特に小説や参考書、論文等のようにページ数が多くて全てのページを読み切るためには何回かに分けて読破することが多い書籍に関する。
【背景技術】
【０００２】
小説や解説書、参考書、論文等のように一般にページ数が多い書籍は、一気に読み切ることが難しいため、例えば通勤時間や空き時間などを利用して何回かに分けて読破することになる。このような書籍の場合、続きを読むときに前回まで読み終えた箇所が直ぐに分かるように短冊状の栞を挟んでおくことが多いが、栞が無い場合には栞代わりの紙片などを探して挟んだりしなければならず、いささか不便である。
【０００３】
また、栞代わりに読み終えた最後のページの一部を折ることもあるが、本が傷むことから好ましくない。そのため、例えば以下の特許文献１乃至４などでは、クリップや両面テープに紐やアクセサリをつけた新しいタイプの栞が提案されている。
【先行技術文献】
【特許文献】
【０００４】
【特許文献１】特開２０１４−２２３７７９号公報
【特許文献２】特開２０１４−６１７１９号公報
【特許文献３】特開２０１３−２３３７８７号公報
【特許文献４】特開２０１０−１７９７０号公報
【発明の概要】
【発明が解決しようとする課題】
【０００５】
しかしながら、従来の栞はいずれも常に持参している必要があり、外出時などにうっかり持参し忘れると利用できない。また、持参した場合にはうっかり紛失してしまうこともある。一方、高価な書籍の場合には紐状の栞が予め附属されているが、文庫本などの普通の書籍には附属していないことが多い。
【０００６】
そこで、本発明はこれらの課題を解決するために案出されたものであり、その目的は栞などを用いることなく、前回読み終えた位置（ページ）を容易に特定することができる新規な書籍を提供することにある。
【課題を解決するための手段】
【０００７】
前記目的を達成するために第１の発明は、複数のページからなる書籍であって、全てのページまたは所定のページの本文が印刷された領域を除く余白領域に、当該ページのページ数と関連するページ情報表示部を設けたことを特徴とする書籍である。
【０００８】
このような構成によれば、読み終えたページの余白領域に表示されたページ情報表示部の内容を視覚的に記憶しておくだけで、次に読み始めるときにそのページを直ぐ特定することができる。これによって、わざわざ栞などを用いることなく、前回読み終えたページを容易に特定して直ぐに読み始めることができる。なお、本発明に係る書籍とは、本または書物、絵本、パンフレット、小冊子、カタログ、地図などといった、複数のページからなる全ての読み物を含む概念である。
【０００９】
第２の発明は、第１の発明において、前記ページ情報表示部を、前記ページ数が印字された箇所の近傍に設けたことを特徴とする書籍である。このような構成によれば、ページ情報表示部に表示された視覚情報とそのページ数とを関連して記憶することでそのページを容易に特定することができる。
【００１０】
第３の発明は、第１または第２の発明において、前記ページ情報表示部は、図形、色彩、文字、記号、マークのいずれかあるいはこれらを組み合わせたものであることを特徴とする書籍である。このような構成によれば、そのページに表示されたページ情報表示部の内容を視覚を通じてより鮮明に記憶することができる。
【００１１】
第４の発明は、第３の発明において、前記ページ情報表示部の表示内容は、連続する所定のページ数毎に異なることを特徴とする書籍である。このようにページ情報表示部の内容を、連続する所定のページ数毎に異ならしめることにより、その位置を容易に探し出すことができる。
【００１２】
第５の発明は、第１乃至第４の発明において、前記ページ情報表示部の近傍に、第２のページ情報表示部を設けたことを特徴とする書籍である。このように２種類のページ情報表示部を組み合わせて用いることでより正確にそのページを記憶することができる。
【００１３】
第６の発明は、第１乃至第５の発明において、前記ページ情報表示部と共に、そのページまでの読破量を表示する読破量表示部を設けたことを特徴とする書籍である。このような構成によれば、全体又はある章単位でそのページまでの読破量を視覚的に把握することができる。
【００１４】
第７の発明は、第６の発明において、前記読破量表示部は、そのページまでの読破量に対応する棒グラフまたは円グラフ、線グラフのいずれかあるいはこれらを組み合わせたものであることを特徴とする書籍である。このような構成によれば、全体又はある章単位でそのページまでの読破量をより視覚的に把握することができる。
【発明の効果】
【００１５】
本発明は、ページの本文が印刷された領域を除く余白領域に、そのページのページ数と関連するページ情報表示部を設けたことから、読み終えたページの余白領域に表示されたページ情報表示部の内容を視覚的に記憶しておくだけで、次に読み始めるときにそのページを直ぐ特定することができる。これによって、わざわざ栞などを用いることなく、前回読み終えたページを容易に特定して直ぐに読み始めることができる。
【図面の簡単な説明】
【００１６】
【図１】本発明に係る書籍１００の実施の一形態を示す全体図である。
【図２】図１中Ａ部を示す部分拡大図である。
【図３】図２の他の例を示す説明図である。
【図４】図２の他の例を示す説明図である。
【図５】図２の他の例を示す説明図である。
【図６】（Ａ）はページ番号とページ情報表示部５０との関係の一例を示す説明図、（Ｂ）は各章とページ情報表示部５０との関係の一例を示す説明図である。
【図７】ページ情報表示部５０と第２のページ情報表示部６０との関係を示す説明図である。
【図８】第２のページ情報表示部６０を設けた例を示す説明図である。
【図９】読破量表示部７０の実施の一形態（棒グラフ）を示す説明図である。
【図１０】読破量表示部７０の実施の一形態（円グラフ）を示す説明図である。
【図１１】読破量表示部７０の実施の一形態（線グラフ）を示す説明図である。
【発明を実施するための形態】
【００１７】
以下、本発明の実施の形態を添付図面を参照しながら説明する。図１は本発明に係る書籍１００の実施の一形態を示したものである。図示するようにこの書籍１００は、各ページ１０の本文が印刷された領域２０を除く余白領域３０に、そのページ１０のページ番号（ページ数）４０と関連するページ情報表示部５０を設けたものである。
【００１８】
図１に示す例では、本文領域２０を囲む上下左右の４つの余白領域３０ａ（天側），３０ｂ（小口側），３０ｃ（地側），３０ｄ（のど側）のうち、地側の余白領域３０ｃであって、小口側角部付近にページ番号４０と共にページ情報表示部５０が設けられている。
【００１９】
このページ情報表示部５０は、図２乃至図４に示すように例えばイルカやペンギン、魚などの複数のイラストやアルファベットなどの文字、星や太陽などを示す図形などから構成されており、その表示内容は一定のページ毎に異なっている。例えば図６に示すように、０〜１０ページまでは「イルカ」のイラスト、１１〜２０ページまでは「ペンギン」のイラスト、２１〜３０ページまでは「魚」のイラスト、…というように１０ページ単位で異なる表示内容のイラストがそのページ番号４０の近傍に表示されている。
【００２０】
このように構成した本発明に係る書籍１００にあっては、最初から読み始めてその途中ページ、例えば５１ページ目で一旦読書を中断するときには、そのページ（５１ページ）に設けられたページ情報表示部５０の表示内容、例えば「ペンギン」のイラストとそのページ（５１ページ）数を記憶しておけば、次回に読書を再開するときには、仮にそのページ数を忘れたとしても、その「ペンギン」のイラストの記憶を頼りにその続きのページ（５１ページ）を簡単に探し出すことができる。
【００２１】
すなわち、人間の脳機能の性質上、数字のようなありふれた情報は直ぐに忘れてしまうが、「ペンギン」のイラストのように視覚を通じた特徴的な情報は、長く記憶に残る傾向があり、本発明はこのような人間の脳機能の特性を利用したものである。これによって、わざわざ栞などを用いることなく、前回読み終えたページを容易に特定して直ぐに読み始めることが可能となる。
【００２２】
また、このページ情報表示部５０は、本実施の形態のように一定のページ毎（例えば１０ページ毎）にその表示内容を変える他に、同図（Ｂ）に示すようにその本文が複数の章からなる場合には、各章単位でページ情報表示部５０の内容を変えても良い。
【００２３】
さらに、この場合は図７に示すように２種類以上のイラストや図形を組み合わせて表示するようにしても良い。例えば図８に示すように各章を動物のイラストからなるページ情報表示部５０で区別すると共に、各章内の一定のページ毎（例えば１０ページ毎）に異なる図形からなる第２のページ情報表示部６０で表示するようにすれば、各章だけでなく、各章内の続きのページをより容易且つ正確に特定することが可能となる。
【００２４】
図８の例でいえば、ページ情報表示部５０が「イルカ」のイラストからなり、第２のページ情報表示部７０が「太陽」の図形からなるため、このページは第１章の２１〜３０ページを示すものであることが容易に分かる。なお、図７の表を巻末や目次の欄など付設すれば、この表を見るだけで続きのページをより簡単に探し出せることができる。
【００２５】
図９乃至図１１は、本発明の他の実施形態を示したものである。本実施の形態では、前記実施の形態と同様に本文領域２０を除く余白領域３０に、ページ情報表示部５０と共に、そのページ１０のページ番号（ページ数）４０と関連する読破量表示部７０を設けたものである。この読破量表示部７０は、本文全体あるいは各章のうち、最初の位置からどの程度読み終えた（読破）したかを示す標識であり、例えば図９に示すように棒グラフ状のものからなっている。
【００２６】
図９の例では帯状の枠の上部に目盛りと数字が印刷されており、その帯状の枠の左端から右端に亘って所定の距離だけ黒く塗り潰された状態となっており、さらにその帯状の枠の下に「（ここまで全体の６０％読破）」との文字が表示されている。このため、読者はこの帯状の枠内の黒く塗り潰された量を見れば、本文全体あるいは各章の大まかな読破量を簡単に把握することができ、また、その下の文字を読むことでそれまでの読破量を正確に把握することができる。
【００２７】
そして、この読破量表示部７０をページ情報表示部５０、６０とを併用することでより続きのページをより容易且つ正確に特定することが可能となる。なお、この読破量表示部７０としては、図９に示すような棒グラフ状のものの他に、図１０に示すように円グラフ状、図１１に示すように線グラフ状のものであっても良い。
【００２８】
また、これらページ情報表示部５０、６０および読破量表示部７０は、本文領域２０を囲む上下左右の４つの余白領域３０ａ（天側），３０ｂ（小口側），３０ｃ（地側），３０ｄ（のど側）のいずれであっても良く。また、全てのページに設ける他に、偶数ページあるいは奇数ページのみ、または数ページおきに設けるような形態であっても良い。
【符号の説明】
【００２９】
１００…書籍
１０…ページ
２０…本文領域
３０…余白領域
３０ａ…天側余白領域
３０ｂ…小口側余白領域
３０ｃ…地側余白領域
３０ｄ…のど側余白領域
４０…ページ番号
５０…ページ情報表示部
６０…第２のページ情報表示部
７０…読破量表示部
【図１】
2015171813.tif 000003
【図２】
2015171813.tif 000004
【図３】
2015171813.tif 000005
【図４】
2015171813.tif 000006
【図５】
2015171813.tif 000007
【図６】
2015171813.tif 000008
【図７】
2015171813.tif 000009
【図８】
2015171813.tif 000010
【図９】
2015171813.tif 000011
【図１０】
2015171813.tif 000012
【図１１】
2015171813.tif 000013